(57)【要約】【課題】騒音を抑制しつつ、風速を高めることができるヘアドライヤー用のノズル、及びヘアドライヤーを提供する。【解決手段】ヘアドライヤー用のノズル１００は、ヘアドライヤーの吹出口から吹出された風を集めるノズル部１０２を備え、ノズル部１０２の先端は、ノズル部１０２の内周側に凹んだ凹部１０２Ａと、凹部１０２Ａからノズル部１０２の外周側へ拡がった凸部１０２Ｂとが交互に繰り返される先端形状を備えている。【選択図】図１
2020185316.tif 000002
【特許請求の範囲】
【請求項１】
ヘアドライヤーの吹出口から吹出された風を集めるノズル部を備え、
前記ノズル部の先端は、前記ノズル部の内周側に凹んだ凹部と、前記凹部から前記ノズル部の外周側へ拡がった凸部とが交互に繰り返される先端形状を備えているヘアドライヤー用のノズル。
【請求項２】
前記ノズル部の軸方向に対して直交する断面の形状は、前記ノズル部の基端側から先端側にかけて、円形状から前記先端形状に漸次的に変化する請求項１に記載のヘアドライヤー用のノズル。
【請求項３】
複数の前記凸部の外接円の直径は、前記ノズル部の基端側から先端側にかけて一定である又は縮小する請求項２に記載のヘアドライヤー用のノズル。
【請求項４】
複数の前記凹部の内接円の直径は、前記外接円の直径の１／２以下である請求項３に記載のヘアドライヤー用のノズル。
【請求項５】
前記凸部と前記凹部との前記ノズル部の軸方向に対して直交する断面は、円弧状部分を含む請求項１〜４の何れか１項に記載のヘアドライヤー用のノズル。
【請求項６】
請求項１〜５の何れか１項に記載のヘアドライヤー用のノズルを備えるヘアドライヤー。
【発明の詳細な説明】
【技術分野】
【０００１】
本発明は、ヘアドライヤー用のノズル、及びヘアドライヤーに関する。
【背景技術】
【０００２】
ヘアドライヤーのノズルとして、ノズル口が、ノズル先端へ向かって突設される複数個の収束片と、隣接する収束片の間に形成される拡散凹部とで連続波形に形成されたものが知られている（例えば、特許文献１参照）。
【先行技術文献】
【特許文献】
【０００３】
【特許文献１】特開２０１２−１５７３８２号公報
【発明の概要】
【発明が解決しようとする課題】
【０００４】
本発明は、騒音を抑制しつつ、風速を増大させることができるヘアドライヤー用のノズル、及びヘアドライヤーを提供することを目的とする。
【課題を解決するための手段】
【０００５】
上記目的を達成するために、一態様に係るヘアドライヤー用のノズルは、ヘアドライヤーの吹出口から吹出された風を集めるノズル部を備え、前記ノズル部の先端は、前記ノズル部の内周側に凹んだ凹部と、前記凹部から前記ノズル部の外周側へ拡がった凸部とが交互に繰り返される先端形状を備えている。
【０００６】
上記目的を達成するために、一態様に係るヘアドライヤーは、上記のヘアドライヤー用のノズルを備える。
【発明の効果】
【０００７】
本発明によれば、騒音を抑制しつつ、風速を増大させることができる。
【図面の簡単な説明】
【０００８】
【図１】図１は、本発明の一実施形態に係るヘアドライヤー及びヘアドライヤー用のノズルを示す概略断面図である。
【図２】図２は、本発明の一実施形態に係るノズルを示す斜視図である。
【図３】図３は、図２のノズルを示す正面図である。
【図４】図４は、図２のノズルを示す平面図である。
【図５】図５は、比較例に係るノズルを示す斜視図である。
【発明を実施するための形態】
【０００９】
以下、図面を参照して本発明の一実施形態に係るヘアドライヤー及びヘアドライヤー用のノズルについて説明する。なお、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本発明の一実施形態に係るヘアドライヤー１０及びヘアドライヤー用のノズル１００を示す概略断面図である。この図に示すように、ヘアドライヤー１０は、本体部１０Ａと把持部１０Ｂとノズル１００とを備える。
【００１１】
本体部１０Ａは、ハウジング１１と、送風器１２と、ヒータ１３とを備える。ハウジング１１は、本体部１０Ａの外郭を構成し、内部に送風路１１１となる空洞が形成されている。ハウジング１１の長手方向の一方側には吸込口１１２が形成され、ハウジング１１の長手方向の他方側には吹出口１１３が形成されている。送風路１１１は、吸込口１１２から吹出口１１３に至る。このハウジング１１の下部に把持部１０Ｂが接続されている。把持部１０Ｂは、ハウジング１１の下部から、送風路１１１に対して直交する方向へ延びている。なお、把持部１０Ｂとハウジング１１とは、一体であってもよく、ヒンジを介して折畳み可能に接続されていてもよい。
【００１２】
送風器１２は、ファン１２１とモータ１２２とを備える。ファン１２１とモータ１２２とは、ハウジング１１内に配されている。ファン１２１は、吸込口１１２の近傍に配されている。モータ１２２は、ファン１２１と吹出口１１３との間に配されている。ファン１２１の回転中心は、モータ１２２の回転軸に接続されている。ファン１２１及びモータ１２２の回転軸は、送風路１１１の中心と同軸に配されている。
【００１３】
ヒータ１３は、ハウジング１１内におけるファン１２１と吹出口１１３との間に配されている。このヒータ１３は、従来から公知のヘアドライヤー用の電気抵抗体を備え、ファン１２１により吸込口１１２から吹出口１１３へ送られる風を加熱する。
【００１４】
ノズル１００は、ハウジング１１の吹出口１１３に着脱可能に取り付けられる。このノズル１００は、吹出口１１３から吹出された風を集めて風速を増大させる機能を有する。以下、ノズル１００について説明する。
【００１５】
図２は、ノズル１００を示す斜視図であり、図３は、ノズル１００を示す正面図であり、図４は、ノズル１００を示す平面図である。これらの図に示すように、ノズル１００は、円環状の取付部１０１と、取付部１０１から吹出し方向に延びる筒状のノズル部１０２とを備える。取付部１０１が、ハウジング１１の吹出口１１３に着脱可能に取付けられる。
【００１６】
ノズル部１０２の基端（上流端）の形状は、円状である一方、ノズル部１０２の先端（下流端）の形状は、周方向に波形状が繰り返される形状、若しくは周方向に山と谷が繰り返される形状（以下、先端形状という）である。ノズル部１０２の軸方向に対して直交する断面の形状は、基端側から先端側にかけて、円形状から上記先端形状に漸次的に変化する。
【００１７】
ノズル部１０２は、複数（本実施形態では６個）の凹部１０２Ａと、複数（本実施形態では６個）の凸部１０２Ｂとを備える。複数の凹部１０２Ａは、ノズル部１０２の周方向に所定間隔（本実施形態では６０°間隔）で設けられ、複数の凸部１０２Ｂは、ノズル部１０２の周方向に所定間隔（本実施形態では６０°間隔）で設けられている。凹部１０２Ａと凸部１０２Ｂとがノズル部１０２の周方向に交互に配されている。
【００１８】
凹部１０２Ａは、ノズル部１０２の基端の近傍からノズル部１０２の先端にかけて漸次的にノズル部１０２の内周側に傾斜している。凹部１０２Ａの断面形状は円弧状である。複数の凹部１０２Ａの内接円Ｃ１の直径は、複数の凸部１０２Ｂの外接円Ｃ２の直径よりも小さい。本実施形態では、内接円Ｃ１の直径は、外接円Ｃ２の直径の１／２以下である。凹部１０２Ａの断面の曲率半径は、ノズル部１０２の基端の近傍からノズル部１０２の先端にかけて漸次的に縮小している。内接円Ｃ１の直径は、ノズル部１０２の基端から先端にかけて漸次的に縮小している。
【００１９】
凸部１０２Ｂは、内接円Ｃ１の近傍からノズル部１０２の外径方向（外周側）へ拡がっている。凸部１０２Ｂは、断面形状が円弧状の先端部１０２Ｂ´と、断面形状が直線状の一対の基部１０２Ｂ´´とを備える。先端部１０２Ｂ´の周方向の端部と凹部１０２Ａの周方向の端部とが基部１０２Ｂ´´によって接続されている。先端部１０２Ｂ´の断面の曲率半径は、ノズル部１０２の基端の近傍からノズル部１０２の先端にかけて漸次的に縮小している。また、先端部１０２Ｂ´の断面形状は、ノズル部１０２の先端では中心角が１８０°以上の半円形状であるのに対して、ノズル部１０２の基端の近傍では中心角が９０°未満の円弧状である。ノズル部１０２の先端において、一対の基部１０２Ｂ´´の間隔は、ノズル部１０２の外周側から内周側へかけて漸次的に縮小している。
【００２０】
ノズル部１０２の中心軸から先端部１０２Ｂ´の最も外周側の位置までの距離は、内接円Ｃ１の半径よりも大きく、その差は、ノズル部１０２の基端の近傍からノズル部１０２の先端にかけて漸次的に拡大している。本実施形態では、ノズル部１０２の先端において、ノズル部１０２の中心軸から先端部１０２Ｂ´の最も外周側の位置までの距離は、内接円Ｃ１の半径の約２倍である。
【００２１】
複数の凸部１０２Ｂの外接円Ｃ２の直径は、ノズル部１０２の基端から先端にかけて一定である。これにより、ノズル部１０２を通過する風は拡散されることなく集められる。なお、複数の凸部１０２Ｂの外接円Ｃ２の直径を、ノズル部１０２の基端から先端にかけて漸次的に縮小するようにしてもよい。
【００２２】
図５は、比較例に係るノズル１０００を示す斜視図である。この図に示すように、ノズル１０００は、円環状の取付部１００１と、取付部１００１から吹出し方向に延びるノズル部１００２とを備える。取付部１００１が、ハウジング１１の吹出口１１３に着脱可能に取付けられる。
【００２３】
ノズル部１００２の基端（上流端）の形状は、円状である。ノズル部１００２には、一対のＶ字状の切欠１００３が形成されている。この一対の切欠１００３は、１８０°間隔で形成されており、ノズル部１００２の基端の近傍から先端までを二分している。ノズル部１００２の先端は、一対の円弧が対向する構成になっている。このノズル部１００２の先端の円弧の曲率半径は、ノズル部１００２の基端に比して大きい。
【００２４】
本出願の発明者等は、ノズル１００の効果を検証する試験を実施した。本試験では、ノズルを装着しないヘアドライヤー１０の風速（ｍ／ｓ）、風圧（ｇｆ）および風量（ｍ３／ｍ）と、本実施例に係るノズル１００を装着したヘアドライヤー１０の風速（ｍ／ｓ）、風圧（ｇｆ）および風量（ｍ３／ｍ）と、比較例に係るノズル１０００を装着したヘアドライヤー１０の風速（ｍ／ｓ）、風圧（ｇｆ）および風量（ｍ３／ｍ）とを測定した。また、本試験では、本実施例に係るノズル１００を装着したヘアドライヤー１０の騒音と、比較例に係るノズル１０００を装着したヘアドライヤー１０の騒音とを分析した。
【００２５】
まず、風速、風圧および風量を測定した試験について説明する。本試験では、吹出口１１３の正面にベーン式風速計を設置して風速（ｍ／ｓ）を測定した、また、下向きにしたヘアドライヤー１０の吹出口１１３の正面に質量計を設置して風圧（ｇｆ）を測定した。さらに、吹出口１１３の正面に風量計を設置して風量（ｍ３／ｓ）を測定した。風速、風圧および風量の測定位置は、吹出口１１３からの距離が１００ｍｍ、２００ｍｍの位置とした。また、ヘアドライヤー１０の吹出口１１３の直径を約７７ｍｍ、本実施例に係るノズル１００の内接円Ｃ１の半径を約１５ｍｍ、ノズル１００の先端における中心から先端部１０２Ｂ´の最も外周側の位置までの距離を約３３ｍｍ、外接円Ｃ２の半径を約３４ｍｍとした。
【００２６】
【表１】
2020185316.tif 000003
【００２７】
表１は、風速、風圧および風量を測定した試験の結果をまとめた表である。この表から、本実施例に係るノズル１００を装着したヘアドライヤー１０は、比較例に係るノズル１０００を装着したヘアドライヤー１０に比して、吹出口１１３からの距離が１００ｍｍ、２００ｍｍの位置において、風速が大きいことを確認できる。また、本実施例に係るノズル１００を装着したヘアドライヤー１０は、ノズルを装着しないヘアドライヤー１０に比して、吹出口１１３からの距離が１００ｍｍ、２００ｍｍの位置において、風速が大きいことを確認できる。
【００２８】
表１から、本実施例に係るノズル１００を装着したヘアドライヤー１０は、ノズル１０００を装着したヘアドライヤー１０に比して、吹出口１１３からの距離が１００ｍｍ、２００ｍｍの位置において、風圧が大きいことを確認できる。また、本実施例に係るノズル１００を装着したヘアドライヤー１０は、ノズルを装着しないヘアドライヤー１０に比して、吹出口１１３からの距離が１００ｍｍ、２００ｍｍの位置において、風圧が大きいことを確認できる。
【００２９】
表１から、比較例に係るノズル１０００を装着したヘアドライヤー１０は、ノズルを装着しないヘアドライヤー１０に比して、吹出口１１３からの距離が１００ｍｍの位置では風速が大きいものの、吹出口１１３からの距離が２００ｍｍの位置では風速が小さいことを確認できる。
【００３０】
表１から、比較例に係るノズル１０００を装着したヘアドライヤー１０は、ノズルを装着しないヘアドライヤー１０に比して、吹出口１１３からの距離が１００ｍｍ、２００ｍｍの位置において、風圧が小さいことを確認できる。
【００３１】
表１から、本実施例に係るノズル１００を装着したヘアドライヤー１０は、ノズル１０００を装着したヘアドライヤー１０に比して、吹出口１１３からの距離が１００ｍｍの位置においては風量が等しいものの、吹出口１１３からの距離が２００ｍｍの位置においては風量が大きいことを確認できる。
【００３２】
次に、騒音を分析した試験について説明する。本試験では、吸込口１１２の中心から１ｍの位置に集音マイクを設置し、本実施例に係るノズル１００を装着したヘアドライヤー１０の作動時の騒音と、比較例に係るノズル１０００を装着したヘアドライヤー１０の作動時の騒音とを測定して分析した。
【００３３】
【表２】
2020185316.tif 000004
【００３４】
表２は、騒音を分析した試験の結果をまとめた表である。この表から、本実施例に係るノズル１００を装着したヘアドライヤー１０は、比較例に係るノズル１０００を装着したヘアドライヤー１０に比して、騒音の大きさ［db］、ラウドネス［sone］は極僅かに大きくなったものの、その差は微小であることが確認された。
【００３５】
表２から、本実施例に係るノズル１００を装着したヘアドライヤー１０は、比較例に係るノズル１０００を装着したヘアドライヤー１０に比して、ピーク周波数［kHz］、シャープネス［DIN45692］、シャープネス[Aures]、シャープネス[Bismarck]は極僅かに小さくなることが確認された。
【００３６】
即ち、本実施例に係るノズル１００は、比較例に係るノズル１０００に比して、騒音については同等のレベルを維持しつつ、風速、風圧および風量を大きくすることができることが、本実験により確認された。
【００３７】
なお、以上に説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。
【００３８】
例えば、上記の実施形態では、凸部１０２Ｂと凹部１０２Ａとがそれぞれ６個であるが、これらの数は増減してもよい。また、複数の凹部１０２Ａの内接円Ｃ１の直径は、複数の凸部１０２Ｂの外接円Ｃ２の直径の１／２以下であることは必須ではなく、例えば、２／３、３／４、４／５等、適宜設定できる。
【符号の説明】
【００３９】
１０  ヘアドライヤー、１０Ａ  本体部、１０Ｂ  把持部、１１  ハウジング、１２  送風器、１３  ヒータ、１００  ノズル、１０１  取付部、１０２  ノズル部、１０２Ａ  凹部、１０２Ｂ  凸部、１０２Ｂ´  先端部、１０２Ｂ´´  基部、１０００  ノズル、１００１  取付部、１００２  ノズル部、１００３  切欠、Ｃ１  内接円、Ｃ２  外接円
【図１】
2020185316.tif 000005
【図２】
2020185316.tif 000006
【図３】
2020185316.tif 000007
【図４】
2020185316.tif 000008
【図５】
2020185316.tif 000009